(57)【要約】【課題】包装用フィルムが分離線によって分離可能に連続したウェブ状の包装用フィルムシートにおいて、連続方向の両側部に沿って粘着剤が塗布されて巻き取られたものであっても、分離線によって１枚ずつの包装用フィルムに容易にかつ確実に分離する。【解決手段】包装用フィルムシート１を１枚ずつの包装用フィルム３に分離するための分離線を、ミシン目５と、このミシン目５のタイ部５ｂよりも長さが短いタイ部５ｂを有するマイクロミシン６とで構成し、マイクロミシン６が、包装用フィルムシート１の連続方向の両側部から粘着剤４ａが塗布された貼着部４よりも内側となる領域まで延びている。【選択図】図１
2010285166.tif 000002
【特許請求の範囲】
【請求項１】
包装用フィルムが、カット部とタイ部とが交互に連続してなる分離線によって分離可能に連続し、当該連続方向の両側部に沿って粘着剤が塗布されて巻き取られたウェブ状の包装用フィルムシートにおいて、
前記分離線は、前記タイ部の長さが互いに異なる第１の分離線部と第２の分離線部とからなり、
前記第１の分離線部は、前記タイ部の長さが、前記第２の分離線部のタイ部の長さよりも短く、前記連続方向の両側部から前記粘着剤が塗布された領域よりも内側となる領域まで延びていることを特徴とする包装用フィルムシート。
【発明の詳細な説明】
【技術分野】
【０００１】
本発明は、包装用フィルムが分離線によって分離可能に連続した包装用フィルムシートに関し、特に、分離性の向上技術に関する。
【背景技術】
【０００２】
従来より、苺や葡萄等の食料品を透明なプラスチック容器に入れて販売することが行われている。このようなプラスチック容器は、開口面を有しており、この開口面から食料品を入れた後、開口面を包装用フィルムでラッピングすることにより、食料品がプラスチック容器からこぼれ落ちないようにして販売される。
【０００３】
このような包装用フィルムは、例えば、包装用フィルムが連続したウェブ状の包装用フィルムシートを用い、この包装用フィルムシートを熱によって破断することによって作製されている。ところが、包装用フィルムシートを熱によって１枚ずつの包装用フィルムに破断する場合、熱を発生させるための電源が必要となるとともに、包装用フィルムシートを破断する際に煙や臭いが発生してしまう。
【０００４】
ここで、包装用フィルムがミシン目によって分離可能に連続した包装用フィルムシートを用い、この包装用フィルムシートをミシン目によって１枚ずつの包装用フィルムに分離することが考えられている（例えば、特許文献１参照。）。
【０００５】
図４は、従来の包装用フィルムシートの一例を示す図であり、（ａ）は外観斜視図、（ｂ）は表面図、（ｃ）は（ｂ）に示したＡ−Ａ’断面図である。
【０００６】
本従来例における包装用フィルムシートは図４に示すように、透明な材料からなる複数の包装用フィルム１０３がミシン目１０５によって分離可能に連続したウェブ状となっており、芯材１０２に巻き取られている。包装用フィルムシート１０１の一方の面には、包装用フィルムシート１０１の連続方向の両側部に沿って粘着剤１０４ａが塗布されており、それにより、包装用フィルムシート１０１の連続方向の両側部に沿った領域が貼着部１０４となっている。ミシン目１０５は、包装用フィルムシート１０１の連続方向の両側部を結ぶように、包装用フィルムシート１０１の幅方向に直線状に形成されている。
【０００７】
上記のように構成された包装用フィルムシート１０１は、ミシン目１０５を破断することによって１枚ずつの包装用フィルム１０３に分離される。そのため、熱を発生させるための電源も必要なく、また、包装用フィルムシート１０１を１枚ずつの包装用フィルム１０３に分離する際に煙や臭いも発生しない。このようにして１枚ずつに分離された包装用フィルム１０３は、その後、上述したように、食料品が入れられたプラスチック容器の開口面にかけられ、貼着部１０４によってプラスチック容器に貼着されて使用されることになる。
【先行技術文献】
【特許文献】
【０００８】
【特許文献１】特開平９−５８７４３号公報
【発明の概要】
【発明が解決しようとする課題】
【０００９】
図４に示した包装用フィルムシート１０１は、上述したように、ミシン目１０５を破断することによって１枚ずつの包装用フィルム１０３に分離される。
【００１０】
図５は、図４に示した包装用フィルムシート１０１を１枚ずつの包装用フィルム１０３に分離する際の作用を説明するための図である。
【００１１】
図４に示した包装用フィルムシート１０１を１枚ずつの包装用フィルム１０３に分離する場合、図５（ａ）に示すように、芯材１０２に巻き取られた状態から引き出された包装用フィルムシート１０１に対して、粘着剤１０４ａが塗布された面側からミシン目１０５が形成された領域に切断部材１０７を押し付けていく。
【００１２】
すると、切断部材１０７が、その中央部が突出している形状を有するものであるため、図５（ｂ）に示すように、ミシン目１０５がその中央部分から破断していき、その後、切断部材１０７が包装用フィルム１０３に向かう方向にさらに移動することにより、ミシン目１０５の破断領域が包装用フィルムシート１０１の両側部に向かっていき、ミシン目１０５が破断した領域が広がっていく。
【００１３】
その後、ミシン目１０５の破断領域は、包装用フィルムシート１０１の貼着部１０４に達するが、貼着部１０４においては、包装用フィルムシート１０１に塗布された粘着剤１０４ａによって、包装用フィルムシート１０１のうち芯材１０２に巻き取られた部分、すなわち巻き取り状態内側に貼着されているため、包装用フィルムシート１０１には、切断部材１０７が包装用フィルム１０３に向かう方向に移動することによって図中上方に向かう力が加わっているものの、貼着部１０４には、その貼着力によってそれに逆らおうとする力が働いている。そのため、包装用フィルムシート１０１の貼着部１０４以外の領域が上方に押し上げられるのに対して、貼着部１０４はそれとは反対方向に押し付けられた状態となり、それにより、図５（ｃ）に示すように、包装用フィルムシート１０１がミシン目１０５ではなく貼着部１０４に沿って破断していき、包装用フィルムシート１０１がミシン目１０５によって１枚ずつの包装用フィルム１０３に分離しなくなってしまうという問題点がある。
【００１４】
本発明は、上述したような従来の技術が有する問題点に鑑みてなされたものであって、包装用フィルムが分離線によって分離可能に連続したウェブ状の包装用フィルムシートにおいて、連続方向の両側部に沿って粘着剤が塗布されて巻き取られたものであっても、分離線によって１枚ずつの包装用フィルムに容易にかつ確実に分離することができる包装用フィルムシートを提供することを目的とする。
【課題を解決するための手段】
【００１５】
上記目的を達成するために本発明は、
包装用フィルムが、カット部とタイ部とが交互に連続してなる分離線によって分離可能に連続し、当該連続方向の両側部に沿って粘着剤が塗布されて巻き取られたウェブ状の包装用フィルムシートにおいて、
前記分離線は、前記タイ部の長さが互いに異なる第１の分離線部と第２の分離線部とからなり、
前記第１の分離線部は、前記タイ部の長さが、前記第２の分離線部のタイ部の長さよりも短く、前記連続方向の両側部から前記粘着剤が塗布された領域よりも内側となる領域まで延びていることを特徴とする。
【００１６】
上記のように構成された本発明においては、ウェブ状の包装用フィルムシートを１枚ずつの包装用フィルムに分離するために、切断部材を分離線に押し付けると、分離線が、切断部材が当接した領域から破断していく。そして、分離線の破断領域は、包装用フィルムシートの粘着剤が塗布された領域に達する。ここで、分離線は、タイ部の長さが互いに異なる第１の分離線部と第２の分離線部とからなるが、分離線の粘着剤が塗布された領域は、タイ部の長さが短い第１の分離線部となっており、さらに、この第１の分離線部は、包装用フィルムシートの連続方向の両側部から粘着剤が塗布された領域よりも内側となる領域まで延びているので、包装用フィルムシートの破断領域が粘着剤が塗布された領域に達した際には、タイ部の長さが短い第１の分離線部によって包装用フィルムシートが破断しやすくなっている。そのため、粘着剤が塗布された領域が、包装用フィルムシートの巻き取られた部分、すなわち巻き取り状態内側に貼着されていても、包装用フィルムシートが分離線によって１枚ずつの包装用フィルムに分離されることになる。
【発明の効果】
【００１７】
以上説明したように本発明においては、包装用フィルムが、カット部とタイ部とが交互に連続してなる分離線によって分離可能に連続し、当該連続方向の両側部に沿って粘着剤が塗布されて巻き取られたウェブ状の包装用フィルムシートにおいて、分離線が、タイ部の長さが互いに異なる第１の分離線部と第２の分離線部とからなり、第１の分離線部のタイ部の長さが第２の分離線部のタイ部の長さよりも短く、第１の分離線部が、包装用フィルムシートの連続方向の両側部から粘着剤が塗布された領域よりも内側となる領域まで延びている構成としたため、分離線に切断部材が押し付けられることにより包装用フィルムシートが破断していき、その破断領域が粘着剤が塗布された領域に達した際には、タイ部の長さが短い第１の分離線部によって包装用フィルムシートが破断しやすくなっており、それにより、連続方向の両側部に沿って粘着剤が塗布されて巻き取られたものであっても、分離線によって１枚ずつの包装用フィルムに容易にかつ確実に分離することができる。
【図面の簡単な説明】
【００１８】
【図１】本発明の包装用フィルムシートの実施の一形態を示す図であり、（ａ）は外観斜視図、（ｂ）は表面図、（ｃ）は（ｂ）に示したＡ−Ａ’断面図である。
【図２】図１に示した包装用フィルムシートを１枚ずつの包装用フィルムに分離する際の作用を説明するための図である。
【図３】図１に示した包装用フィルムの使用状態を示す図である。
【図４】従来の包装用フィルムシートの一例を示す図であり、（ａ）は外観斜視図、（ｂ）は表面図、（ｃ）は（ｂ）に示したＡ−Ａ’断面図である。
【図５】図４に示した包装用フィルムシートを１枚ずつの包装用フィルムに分離する際の作用を説明するための図である。
【発明を実施するための形態】
【００１９】
以下に、本発明の実施の形態について図面を参照して説明する。
【００２０】
図１は、本発明の包装用フィルムシートの実施の一形態を示す図であり、（ａ）は外観斜視図、（ｂ）は表面図、（ｃ）は（ｂ）に示したＡ−Ａ’断面図である。
【００２１】
本形態における包装用フィルムシートは図１に示すように、透明な材料からなる複数の包装用フィルム３が分離線となるミシン目５及びマイクロミシン６によって分離可能に連続したウェブ状となっており、芯材２に巻き取られている。つまり、包装用フィルムシート１のうち、複数の包装用フィルム３の境界部分のそれぞれにミシン目５及びマイクロミシン６が連続して形成されている。包装用フィルムシート１の芯材２への巻き取り状態内側となる面には、包装用フィルムシート２の連続方向の両側部に沿って粘着剤４ａが塗布されており、それにより、包装用フィルムシート２の連続方向の両側部に沿った領域が貼着部４となっている。この貼着部４を構成するための粘着剤４ａは、包装用フィルムシート１の芯材２への巻き取り状態内側となる面に表出しているが、包装用フィルムシート１が芯材２に巻き取られた状態においては、この粘着剤４ａには芯材２への巻き取り状態内側にて包装用フィルムシート１が対向して貼着されているため、粘着剤４ａが乾燥することがなく、かつ、包装用フィルムシート１を芯材２への巻き取り状態から引き出すことができる。ミシン目５及びマイクロミシン６はそれぞれ、カット部５ａ，６ａとタイ部５ｂ，６ｂとが交互に連続してなるものであって、マイクロミシン６が第１の分離線部となり、ミシン目５が第２の分離線部となる。そして、ミシン目５とマイクロミシン６とは、カット部５ａ，６ａ及びタイ部５ｂ，６ｂの長さが互いに異なり、カット部５ａ，６ａについては、マイクロミシン６のカット部６ａの長さがミシン目５のカット部５ａの長さよりも短くなっており、また、タイ部５ｂ，６ｂについても、マイクロミシン６のタイ部６ｂの長さが、ミシン目５のタイ部５ｂの長さよりも短くなっている。また、マイクロミシン６は、包装用フィルムシート１の連続方向の両側部から、貼着部４よりも内側となる領域まで延びており、分離線のその他の領域がミシン目５となっている。すなわち、分離線は、包装用フィルムシート１のうち、包装用フィルムシート１の連続方向の両側部から、貼着部４よりも内側となる領域までがマイクロミシン６となっており、その領域から包装用フィルムシート１の内側がミシン目５となっており、それにより、包装用フィルムシート１の幅方向中央部分においては、ミシン目５となっている。
【００２２】
以下に、上記のように構成された包装用フィルムシート１を１枚ずつの包装用フィルム３に分離する際の作用について説明する。
【００２３】
図２は、図１に示した包装用フィルムシート１を１枚ずつの包装用フィルム３に分離する際の作用を説明するための図である。
【００２４】
図１に示した包装用フィルムシート１を１枚ずつの包装用フィルム３に分離する場合、図２（ａ）に示すように、芯材２に巻き取られた状態から引き出された包装用フィルムシート１に対して、粘着剤４ａが塗布された面側から複数の包装用フィルム３の境界部分に切断部材７を押し付けていく。すると、切断部材７が、その中央部が突出している形状を有するものであるため、切断部材７は、まず、包装用フィルムシート１の幅方向中央部分に当接する。包装用フィルムシート１のうち複数の包装用フィルム３の境界部分には、ミシン目５及びマイクロミシン６が形成されているが、上述したように包装用フィルムシート１の幅方向中央部分においては、ミシン目５が形成されているため、切断部材７はまずこのミシン目５に当接し、それにより、ミシン目５が破断していく。
【００２５】
そして、切断部材７が包装用フィルム３に向かう方向にさらに移動することにより、図２（ｂ）に示すように、ミシン目５の破断領域が包装用フィルムシート１の両側部に向かっていき、ミシン目５が破断した領域が広がっていく。
【００２６】
ミシン目５が破断した領域が包装用フィルムシート１の両側部に向かって広がっていくと、包装用フィルムシート１の破断領域が、ミシン目５が形成された領域からマイクロミシン６が形成された領域へと移る。すると、マイクロミシン６のタイ部６ｂの長さがミシン目５のタイ部５ｂの長さよりも短いため、包装用フィルムシート１が破断しやすくなる。そして、ミシン目５に引き続いてマイクロミシン６が破断していくと、包装用フィルムシート１の破断領域が、包装用フィルムシート１の貼着部４に達する。貼着部４においては、包装用フィルムシート１に塗布された粘着剤４ａによって、包装用フィルムシート１のうち芯材２に巻き取られた部分、すなわち巻き取り状態内側に貼着されているため、包装用フィルムシート１には、切断部材７が包装用フィルム３に向かう方向に移動することによって図中上方に向かう力が加わっているものの、貼着部４には、その貼着力によってそれに逆らおうとする力が働いている。そのため、包装用フィルムシート１の貼着部４以外の領域が上方に押し上げられるのに対して、貼着部４はそれとは反対方向に押し付けられた状態となる。ところが、包装用フィルムシート１は、その破断領域が貼着部４に達した状態においては、包装用フィルムシート１がマイクロミシン６によって破断しやすくなっているため、図２（ｃ）に示すように、貼着部４においても、包装用フィルムシート１がマイクロミシン６によって破断していき、包装用フィルムシート１がミシン目５及びマイクロミシン６にて１枚ずつの包装用フィルム３に容易に確実に分離されることになる。
【００２７】
このように本形態においては、包装用フィルムシート１を１枚ずつの包装用フィルム３に分離するための分離線が、ミシン目５と、このミシン目５のタイ部５ｂよりも長さが短いタイ部５ｂを有するマイクロミシン６とで構成され、マイクロミシン６が、包装用フィルムシート１の連続方向の両側部から粘着剤４ａが塗布された貼着部４よりも内側となる領域まで延びている構成としたことにより、ミシン目５に切断部材７が押し付けられることにより包装用フィルムシート１が破断していき、その破断領域が粘着剤４ａが塗布された貼着部４に達した際には、タイ部６ｂの長さが短いマイクロミシン６によって包装用フィルムシート１が破断しやすくなっており、それにより、連続方向の両側部に沿って粘着剤４ａが塗布されて巻き取られたものであっても、ミシン目５及びマイクロミシン６によって１枚の包装用フィルム３毎に容易にかつ確実に分離することができる。
【００２８】
上述したようにして１枚ずつに分離された包装用フィルム３は、その後、食料品が入れられたプラスチック容器に貼着されて使用されることになる。
【００２９】
図３は、図１に示した包装用フィルム３の使用状態を示す図である。
【００３０】
上述したようにして包装用フィルムシート１から１枚ずつに分離された包装用フィルム３は、図３に示すように、食料品９が入れられたプラスチック容器８の開口面にかけられ、貼着部４にて塗布された粘着剤４ａによってプラスチック容器８に貼着されて使用される。このように、食料品９が入れられたプラスチック容器８の開口面を、図１に示した包装用フィルムシート１から１枚ずつに分離された包装用フィルム３でラッピングすることにより、食料品９がプラスチック容器８からこぼれ落ちないようになる。
【符号の説明】
【００３１】
１    包装用フィルムシート
２    芯材
３    包装用フィルム
４    貼着部
４ａ    粘着剤
５    ミシン目
５ａ，６ａ    カット部
５ｂ，６ｂ    タイ部
６    マイクロミシン
７    切断部材
８    プラスチック容器
９    食料品
【図１】
2010285166.tif 000003
【図２】
2010285166.tif 000004
【図３】
2010285166.tif 000005
【図４】
2010285166.tif 000006
【図５】
2010285166.tif 000007